(57)【要約】【課題】  本考案は、入れ子式人形において、人形を置いておいたり取り出したりするのを便利にすることを目的とする。【解決手段】  様々に異なる外形を持ち、その内部は空洞で、入れ子の中に若干ずつ体積が小さくなっていく同形状の人形を入れる構成の入れ子式人形１は、上部外殻１１と下部外殻１２の二つの部分から構成されており、上部外殻の下側には２つの磁石１２２が付けられており、下部外殻の上側には上記の磁石１２２と対応する二つの鉄片１２２が付けられている。磁石１２２に鉄片１２２が吸着して、上部外殻１１と下部外殻１２とが組合わされる。【選択図】  図２
0003103585.tif 000002
【実用新案登録請求の範囲】
【請求項１】
様々に異なる外形を持ち、その内部は空洞で、入れ子の中に若干ずつ体積が小さくなっていく同形状の人形を入れる構成の入れ子式人形において、
人形の外殻は上部外殻と下部外殻の二つの部分から構成されており、上、下外殻の合わさるところに、小さい磁石と鉄片とが対応して付けられている構成としたことを特徴とする入れ子式人形。
【請求項２】
請求項１に記載の入れ子式人形において、
上記上部外殻の下側、即ち下部外殻と合わさるところに、２つの対応する磁石が付けられており、同人形の下部外殻の上側、即ち上部外殻と合わさるところには上記の磁石と対応する二つの鉄片が付けられている構成としたことを特徴とする入れ子式人形。
【請求項３】
請求項１に記載の入れ子式人形において、
上記上部外殻の下側、即ち下部外殻と合わさるところに、２つの対応する鉄片が付けられており、同人形の下部外殻の上側、即ち上部外殻と合わさるところには上記の鉄片と対応する二つの磁石が付けられている構成としたことを特徴とする入れ子式人形。
【請求項４】
請求項１に記載の入れ子式人形において、
上部外殻の下側、即ち下部外殻と合わさる部分に一つの磁石と一つの鉄片が付けられており、同人形の下部外殻の上側、即ち上部外殻と合わさるところに上記磁石と対応する一つの鉄片、及び上記鉄片と対応する一つの磁石が付けられている構成としたことを特徴とする入れ子式人形。
【請求項５】
請求項１乃至請求項４のうち何れか一項記載の入れ子式人形において、
上部外殻及び下部外殻が、不飽和樹脂若しくはプラスチック製であることを特徴とする入れ子式人形。
【考案の詳細な説明】
【技術分野】
【０００１】
本考案は入れ子式人形に関する。
【背景技術】
【０００２】
「入れ子式人形」とは子供が好む玩具の一種であり、その外側は小さな人間・動物、その他生命体及び芸術品等の異なる種類の玩具である。入れ子の中には体積が次第に小さくなっていく同じ形の人形を入れることができるようになっており、その外殻は通常、木か陶器で作られている。
【考案の開示】
【考案が解決しようとする課題】
【０００３】
木で作られた入れ子式人形の保存期間は長くなく、外殻は薄すぎないことが要求される。また、陶器で作られた入れ子式人形は壊れやすい。
【０００４】
伝統的な入れ子式人形は普通上下二つに分かれるようになっているが、それを合わせる方法は単なるコップの蓋式の継ぎ合わせであり、固定して付ける技術は無い。そのため、上下の図案があわなくなりやすい。同時に何度もくっ付けたり離したりしているうちに磨耗したりゆるんだりして、手で上部を持ち上げた時に下部がその重さで落ちてしまうことが起きることもある。
【０００５】
そこで、本考案は、上記の現在の技術上の欠点を克服し、一種の新しい入れ子式人形を提供することを目的とする。
【課題を解決するための手段】
【０００６】
そこで、上記課題を解決するため、本考案は、様々に異なる外形を持ち、その内部は空洞で、入れ子の中に若干ずつ体積が小さくなっていく同形状の人形を入れる構成の一種の入れ子式人形であって、人形の外殻は上部外殻と下部外殻の二つの部分から構成されており、上、下外殻の合わさるところに若干の数の対応する磁石と鉄片が付けられている構成である。即ち、入れ子式人形の上部外殻の下側、即ち下部外殻と合わさるところには２つの対応する磁石が付けられており、同人形の下部外殻の上側、即ち上部外殻と合わさるところには上記の磁石と対応する二つの鉄片が付けられている。
【０００７】
或いは、入れ子式人形の上部外殻の下側、即ち下部外殻と合わさる部分に２つの鉄片が付けられており、同人形の下部外殻の上側、即ち上部外殻と合わさるところに上記鉄片と対応する２つの磁石が付けられている。
【０００８】
或いは、入れ子式人形の上部外殻の下側、即ち下部外殻と合わさる部分に一つの磁石と一つの鉄片が付けられており、同人形の下部外殻の上側、即ち上部外殻と合わさるところに上記磁石と対応する一つの鉄片、及び上記鉄片と対応する一つの磁石が付けられている。
【０００９】
入れ子式人形の外殻は不飽和樹脂若しくはプラスチックでつくられている。
【考案の効果】
【００１０】
本考案によれば、簡単な構造でもって、人形の取り出しと放置をさらに便利にし、かつ保存できる時間が長く、簡単に壊れないという効果を有する。
【考案を実施するための最良の形態】
【００１１】
次に本考案の実施の形態について説明する。
【００１２】
図１乃至図４は、本考案の最良の実施例を示す図である。図１に示すように、本考案は、中が空洞であって体積が若干ずつ小さくなっていく人形１´と人形１から構成されており、小さい人形１´は少し大きい人形１の中に入れることができる。
【００１３】
人形の外殻は不飽和樹脂若しくはプラスチックで作られている。よって、成型と着色により適しており、長い期間保存できるし簡単に壊れることがなくなる。
【００１４】
図２に示すように、各人形の外殻は上部外殻１１と下部外殻１２とから構成されている。
【００１５】
図２及び図３に示すように、上部外殻１１の下側１１１、即ち、上部外殻１１のうち下部外殻１２と合わさる場所には、直径方向上の両端側に相応する磁石１１２が付けられて設けてある。図２及び図４に示すように、下部外殻１２の上側１２１、即ち、下部外殻１２のうち上部外殻１１と合わさる場所には、上記の磁石１１２と合わさる二つの鉄片１２２が直径方向上の両端側に付けられて設けてある。
【００１６】
この対をなす磁石１１２に対をなす鉄片１２２が磁気的に吸着する作用により、上部外殻１１と下部外殻１２とを安定して合わせることができるし、簡単に上部外殻１１と下部外殻１２とを離すことができて、人形１´を人形１の内部に置いておいたり人形１から取り出したりするのに便利になる。
【００１７】
また、磁石を下部外殻の上部に付けてもよく、その場合は同時に対応する鉄片を上部外殻の下側に付ける。
【００１８】
また、磁石と鉄片とを下部外殻の上側に付けてもよい。その場合には、上部外殻の下側には、下部外殻の磁石に対応して鉄片を、下部外殻の鉄片に対応して磁石を付ける。
【００１９】
また、磁石と鉄片の数量は２つに限定するわけではなく、３つ若しくは４つと具体的な必要に合わせて決定する。
【図面の簡単な説明】
【００２０】
【図１】本考案の実施例１になる入れ子式人形の使用の状態を示す図である。
【図２】本考案の実施例１になる入れ子式人形の分解斜視図である。
【図３】本考案の実施例１になる入れ子式人形の上部外殻をその下側からみて示す図である。
【図４】本考案の実施例１になる入れ子式人形の下部外殻をその上側からみて示す図である。
【符号の説明】
【００２１】
１，１´  入れ子式人形
１１  上部外殻
１２  下部外殻
１１１  上部外殻の下側
１１２  磁石
１２１  下部外殻の上側
１２２  鉄片
【図１】
0003103585.tif 000003
【図２】
0003103585.tif 000004
【図３】
0003103585.tif 000005
【図４】
0003103585.tif 000006